(57)【要約】【課題】蒸気導管及び水タンクを覆う蓋体が蒸気の熱によって変形しないようにする炊飯器を提供する。【解決手段】炊飯器本体１に着脱可能に収納された内釜２と、炊飯中に発生する内釜２内の炊飯物からの蒸気を外部へと導く蒸気導管６と、蒸気導管６により導かれた蒸気を冷却水によって復水して回収する水タンク２１とを備え、炊飯器本体１は一端が開閉自在に取り付けられた蓋体４を有し、蓋体４の下面に蒸気導管６を収納する蓋凹部８が設けられ、蓋体４の水タンク２１上方の下面に補強板が取り付けられている。【選択図】図２
2010099412.tif 000002
【特許請求の範囲】
【請求項１】
炊飯器本体に着脱可能に収納された内釜と、
炊飯中に発生する前記内釜内の炊飯物からの蒸気を外部へと導く蒸気導管と、
前記蒸気導管により導かれた蒸気を冷却水によって復水して回収する水タンクとを備え、
炊飯器本体は、一端が開閉自在に取り付けられた蓋体を有し、
前記蓋体の下面に前記蒸気導管を収納する蓋凹部が設けられていることを特徴とする炊飯器。
【請求項２】
前記蓋体の前記水タンク上方の下面に補強板を取り付けたことを特徴とする請求項１記載の炊飯器。
【請求項３】
前記蓋凹部に補強板を取り付けたことを特徴とする請求項１又は２記載の炊飯器。
【発明の詳細な説明】
【技術分野】
【０００１】
本発明は、炊飯中に発生する内釜内の蒸気を冷却水で復水して回収する水タンクを備えた炊飯器に関するものである。
【背景技術】
【０００２】
従来の炊飯器は、内釜内に発生した蒸気を蒸気導管によって水タンクに導き、水タンク内の冷却水の中に放出させて復水し回収している。その水タンクは、炊飯器本体の外側上部に着脱可能に取り付けられている（例えば、特許文献１参照）。
【０００３】
【特許文献１】特開平０３−２３１６１３号公報（第２頁、第１図）
【発明の開示】
【発明が解決しようとする課題】
【０００４】
前述した従来の炊飯器では、蒸気導管を通る蒸気の熱により、蒸気導管の上方に位置する蓋体が変形し易いという課題があった。
本発明は、前記のような課題を解決するためになされたもので、蒸気導管及び水タンクを覆う蓋体が蒸気の熱によって変形しないようにする炊飯器を提供することを目的とする。
【課題を解決するための手段】
【０００５】
本発明に係る炊飯器は、炊飯器本体に着脱可能に収納された内釜と、炊飯中に発生する内釜内の炊飯物からの蒸気を外部へと導く蒸気導管と、蒸気導管により導かれた蒸気を冷却水によって復水して回収する水タンクとを備え、炊飯器本体は、一端が開閉自在に取り付けられた蓋体を有し、蓋体の下面に蒸気導管を収納する蓋凹部が設けられている。
【発明の効果】
【０００６】
本発明においては、炊飯器本体の蓋体の下面に蒸気導管を収納する蓋凹部が設けられているので、蓋体の強度が向上し、蓋凹部に収納された蒸気導管を通る蒸気の熱による蓋体の変形を抑えることが可能になり、耐久性が向上する。
【発明を実施するための最良の形態】
【０００７】
図１は本発明の実施の形態に係る炊飯器を示す蓋体開放状態の斜視図、図２は実施の形態の炊飯器を示す内蓋及び蒸気導管を分解した状態の斜視図、図３は実施の形態に係る炊飯器の側面を切断して示す断面図、図４は実施の形態に係る炊飯器の正面を切断して示す内蓋側の断面図、図５は実施の形態に係る炊飯器の正面を切断して示す水タンク側の断面図である。なお、図３は、炊飯器の内蓋及び内釜を径方向に縮めて示している。
【０００８】
実施の形態の炊飯器は、図１に示すように、炊飯器本体１と、炊飯時に発生する蒸気を冷却水で復水して回収する水タンク２１とで構成されている。炊飯器本体１には、外面が磁性体金属で構成された有底筒状の内釜２が着脱可能に収納され、炊飯器本体１の上部には、一端がヒンジ部３によって開閉自在に軸支された蓋体４が取り付けられている。蓋体４には、内釜２の上部開口を塞ぐ内蓋５が着脱可能に取り付けられている。この内蓋５の外周部には、内蓋５によって内釜２の上部開口が塞がれたときに内釜２のフランジ部２ａに接して、内釜２の上部開口を密閉状態にするパッキン５ｂが取り付けられている。また、蓋体４には、内蓋５によって覆われた蓋放熱板７が取り付けられており、蓋放熱板７の内蓋５側の面の反対側の面に蓋ヒータが配設されている。さらに、蓋体４と内蓋５の間には蒸気導管６が設けられている。
【０００９】
炊飯器本体１の内側には、図４に示すように、前述した内釜２を収納するための保護枠１１が設けられている。この保護枠１１は、上部枠１１ａと、胴ヒータ１２が配設された側面放熱板１１ｂと、コイル台１１ｃとによって構成されている。そのコイル台１１ｃに支持された誘導コイル１３は、内釜２の底部コーナー部に対向するように配設された側部誘導コイル１３ａと、内釜２の底部に対向するように配設された底部誘導コイル１３ｂとからなっている。コイル台１１ｃの中央部を貫通して取り付けられた底温度センサ１４は、例えばサーミスタからなり、バネ１４ａの弾性力によって内釜２の底部に接触し、内釜２に収納された炊飯物の温度を間接的に検出する。
【００１０】
水タンク２１は、例えばプラスチックからなり、炊飯器本体１の前面側に着脱可能に取り付けられている。水タンク２１の上部開口には、タンク蓋２２が着脱可能な状態で嵌め込まれており、また、水タンク２１には、上方から見てほぼＣ字状に形成されたタンクカバー２３が着脱可能に取り付けられている。このタンクカバー２３は、使用者が高温時の水タンク２１に直接触れないようにするためと、炊飯器の意匠を損なわないようにするために設けられている。タンク蓋２２には、蓋体４に設けられた蒸気導管６の蒸気流出口６ｃと接合されるほぼ四辺形の蒸気導入口２２ａ、及び蒸気導入口２２ａから水タンク２１内に下方に延びる連通管２２ｂが設けられている。
【００１１】
蒸気導管６は、蓋体４の蓋凹部８に着脱自在に収納され、図２に示すように、カバー６ａと、内蓋５の蒸気排出口５ａに接合される蒸気流入口６ｂと、蓋体４が閉じられたときに水タンク２１の蒸気導入口２１ａに接合される蒸気流出口６ｃとを有している。蒸気導管６は、炊飯中に発生する内釜２内の炊飯物からの蒸気を蒸気排出口５ａから取り込んで水タンク２１の連通管２２ｂまで導き、水タンク２１の冷却水の中に分散させて復水させる。
【００１２】
前述した蓋体４には、図２に示すように、上方に凹んでなる蓋凹部８が設けられている。蓋凹部８は、図３に示すように、タンク蓋２２の蒸気導入口２２ａ及び内蓋５の一部を覆うように蓋体４の長手方向に延びており、内蓋５側においては、図４に示すように、内蓋５の蒸気排出口５ａを覆うように内蓋５の中心軸方向に膨らんでおり、タンク蓋２２側においては、図５に示すように、幅方向の寸法が内蓋５側と比べ狭くなって水タンク２１の上方に位置する蓋体４の下面４ａと一体になっている。この蓋凹部８に蒸気導管６が収納されているとき、蒸気導管６のカバー６ａが蓋凹部８の上部に接触している。
【００１３】
蓋体４の下面４ａには、タンク蓋２２の反対側の面にネジ１０によって固定された補強板９が取り付けられている（図５参照）。この補強板９は、例えばステンレス製の板金からなり、その両端部は、水タンク２１側から見て、上方に直角に折り曲げられて互いに外方に直角に折り曲げられている。この両端部の形状によって、補強板９が撓むことなく蓋体４の下面４ａに接触する。
【００１４】
前記のように構成された炊飯器においては、蓋体４に上方に凹んでなる蓋凹部８を設け、さらに、水タンク２１の上方に位置する蓋体４の下面４ａに補強板９を取り付けるようにしたので、蓋体４の強度が向上し、蓋凹部８に収納された蒸気導管６を通る蒸気の熱による蓋体４の変形を抑えることが可能になり、耐久性が向上する。
【００１５】
なお、本実施の形態では、蓋体４に蓋凹部８を設けたことを述べたが、図６に示すように、蓋凹部８の内側の上部に補強板９ａを取り付けるようにしても良い。このように構成することにより、蓋体４の強度がさらに向上し、蒸気の熱による蓋体４の変形を防止することができる。
【図面の簡単な説明】
【００１６】
【図１】本発明の実施の形態に係る炊飯器を示す蓋体開放状態の斜視図である。
【図２】実施の形態の炊飯器を示す内蓋及び蒸気導管を分解した状態の斜視図である。
【図３】実施の形態に係る炊飯器の側面を切断して示す断面図である。
【図４】実施の形態に係る炊飯器の正面を切断して示す内蓋側の断面図である。
【図５】実施の形態に係る炊飯器の正面を切断して示す水タンク側の断面図である。
【図６】他の実施の形態に係る炊飯器の正面を切断して示す水タンク側の断面図である。
【符号の説明】
【００１７】
１  炊飯器本体、２  内釜、２ａ  フランジ、３  ヒンジ部、４  蓋体、４ａ  蓋体の下面、５  内蓋、５ａ  蒸気排出口、５ｂ  パッキン、６  蒸気導管、６ａ  カバー、
６ｂ  蒸気流入口、６ｃ  蒸気流出口、７  蓋放熱板、８  蓋凹部、９，９ａ  補強板、
１０  ネジ、１１  保護枠、１１ａ  上部枠、１１ｂ  側面放熱板、１１ｃ  コイル台、
１２  胴ヒータ、１３  誘導コイル、１４  底温度センサ、２１  水タンク、２２  タンク蓋、２２ａ  蒸気導入口、２２ｂ  連通管、２３  タンクカバー。
【図１】
2010099412.tif 000003
【図２】
2010099412.tif 000004
【図３】
2010099412.tif 000005
【図４】
2010099412.tif 000006
【図５】
2010099412.tif 000007
【図６】
2010099412.tif 000008